(57)【要約】【課題】  セードをガラスで形成した場合であっても、セードと照明本体とを安全且つ確実に位置決めすることができ、さらに高ワットの光源を採用することができる照明器具を提供すること。【解決手段】  電球Ｄを装着可能な照明本体３と、この照明本体３に取り付けられ、電球Ｄを上下に開放しつつ、電球Ｄの周囲を囲繞可能な側壁を有するセード４とを備えた照明器具において、側壁内の少なくとも一部には、下開きとなる傾斜面４ａが周方向にわたって形成されているとともに、上記照明本体３には、外側方に向けて複数の支持フレーム１０が突出され、これら支持フレーム１０は、それぞれ突出方向に沿って伸縮可能なアジャスタ１１を備えているとともに、各アジャスタ１１に対して傾斜面４ａを乗せ掛けることにより、照明本体３に対してセード４が支持されるようになっている。【選択図】      図１
2005158448.tif 000002
【特許請求の範囲】
【請求項１】
光源を装着可能な照明本体と、この照明本体に取り付けられ、前記光源を上下に開放しつつ、光源の周囲を囲繞可能な側壁を有するセードとを備えた照明器具において、
上記側壁内の少なくとも一部には、下開きとなる傾斜面が周方向にわたって形成されているととももに、
上記照明本体には、外側方に向けて複数の支持部が突出され、
これら支持部は、それぞれ突出方向に沿って伸縮可能に構成されているとともに、各支持部の先端部に対して上記傾斜面を載せ掛けることにより、照明本体に対してセードが支持されることを特徴とする照明器具。
【請求項２】
前記各支持部は、光源に対して上下方向に相対変位可能に構成されていることを特徴とする請求項１に記載の照明器具。
【請求項３】
前記セードは、透光性を備えているとともに、前記各支持部は、少なくとも先端部が透光性材料により構成されていることを特徴とする請求項１又は請求項２に記載の照明器具。
【発明の詳細な説明】
【技術分野】
【０００１】
本発明は、室内照明等の照明器具に関するものである。
【背景技術】
【０００２】
一般に、照明器具は、特許文献１に開示されるように、電球を装着可能な照明本体と、この照明本体に取り付けられ、電球を被覆するカバー部材とを備えており、この種の照明器具では、カバー部材を金属又は合成樹脂で形成することにより、照明本体とカバー部材との支持構造の設計に比較的自由度を持たせることができる。また、照明器具には、天井に対して着脱可能に取り付けられるコードと、このコードの下端部に接続された照明本体とを備え、上記カバー部材に代えて、電球を下方に開放しつつ、電球の周囲を囲繞するセードと称される部材を採用したものも知られている。
【０００３】
この種の照明器具には、ガラス製のセードを備えたものもあり、例えば、図１０に示すように、上下に貫通する筒状でガラス製のセード１０１に対して形成されたくびれ部分１０１ａを、照明本体１０２の周囲に突設されたフランジ部１０２ａの周縁部に載せ掛けることにより、当該照明本体１０２に対してセード１０１の上下位置を位置決めするように構成されたものが知られている。
【０００４】
また、ガラス製のセードを備えた別の照明器具としては、図１１に示すように、上下に延びる円筒状でガラス製のセード１０３の側壁を貫通する貫通孔１０３ａに対して、照明本体１０４の周囲に突出する支持部１０４ａを挿通させることにより、当該照明本体１０４に対してセード１０３の上下位置を位置決めするように構成されたものもある。
【０００５】
さらに、ガラス製のセードを備えた別の照明器具としては、図１２に示すように、照明本体１０６から下方に延びるソケットＤ１と、このソケットＤ１の外周部に形成された外ねじに対して螺合可能で、且つその上端部にフランジ部１０７が形成されたホルダーナット１０８とを備え、上記ソケットＤ１の途中部を有底筒状のセード１０５の底部１０５ａに形成された孔１０５ｂに挿通させた状態で、当該ソケットＤ１に対してホルダーナット１０８を下方から螺合させることにより、フランジ部１０７と照明本体１０６との間でセード１０５の底部１０５ａを挟持するように構成されたものもある。
【特許文献１】実開昭６０−１２１２１２号公報
【発明の開示】
【発明が解決しようとする課題】
【０００６】
しかしながら、図１０あるいは図１２に示すような照明器具では、肉厚に変動が比較的多い（内径寸法に誤差が生じやすい）ガラスにより形成されたセードであっても、照明本体に対して取り付けることが可能であるが、この取付時にセードの上方が閉塞された状態となるため、電球点灯時の熱がセード内にこもり易く高ワットの電球を使用することが困難であった。一方、図１１に示すような照明器具では、セードの上方が開口されているので、電球による熱がこもることはないが、ガラスに対して貫通孔を形成する必要があり、この貫通孔にはセードの自重が付加されることとなるため、この自重によりセードが破損してしまうことを防止するために、ガラスの耐荷重や重量等、設計上の配慮が必要であった。
【０００７】
本発明は、上記課題に鑑みてなされたものであり、セードをガラス等で形成した場合であっても、セードと照明本体とを安全且つ確実に位置決めすることができ、さらに高ワットの光源を採用することができる照明器具を提供することを目的としている。
【課題を解決するための手段】
【０００８】
上記課題を解決するために本発明は、光源を装着可能な照明本体と、この照明本体に取り付けられ、前記光源を上下に開放しつつ、光源の周囲を囲繞可能な側壁を有するセードとを備えた照明器具において、上記側壁内の少なくとも一部には、下開きとなる傾斜面が周方向にわたって形成されているととももに、上記照明本体には、外側方に向けて複数の支持部が突出され、これら支持部は、それぞれ突出方向に沿って伸縮可能に構成されているとともに、各支持部の先端部に対して上記傾斜面を載せ掛けることにより、照明本体に対してセードが支持されることを特徴とするものである。
【０００９】
上記照明器具において、各支持部は、光源に対して上下方向に相対変位可能に構成されていることが好ましい。
【００１０】
上記照明器具において、セードは、透光性を備えているとともに、前記各支持部は、少なくとも先端部が透光性材料により構成されていることが好ましい。
【発明の効果】
【００１１】
請求項１の発明によれば、セードに対する所定の上下位置において水平面によって輪切りにされた傾斜面の断面輪郭上に各支持部の先端部が配置されるように各支持部を伸縮させることにより、上記所定の上下位置における傾斜面と各支持部の先端部とを当接させることができるので、各支持部を伸縮させることにより照明本体に対するセードの取付位置を上下に変更することができ、肉厚の変動の大きい（内径寸法に誤差を生じやすい）ガラス製のセードであっても、安全且つ確実に位置決めした状態で照明本体に対して取り付けることができる。また、請求項１の発明では、セードが光源を上方に開放しているとともに、当該セードが複数の支持部によって照明本体に対して支持されているため、光源点灯時に発生する熱を各支持部の間を通って上方へ逃がすことができるので、高ワットの光源を採用することができる。
【００１２】
請求項２の発明によれば、各支持部にセードを載せ掛けた状態で、照明本体に対するセードの取付位置を上下に変更することができる。
【００１３】
請求項３の発明によれば、セードを透過した光源の照明光によって周囲を明るくしつつ、この照明光によってセード上に投影される各支持部の先端部の像を目立ち難くすることができる。
【発明を実施するための最良の形態】
【００１４】
以下、本発明の好ましい実施形態について図面を参照して説明する。
【００１５】
図１は、本発明の実施形態に係る照明器具の全体構成を示す側面一部断面図であり、図２は図１の照明器具の底面図であり、（ａ）はセードと照明本体とを略同心に配置した状態、（ｂ）は照明本体に対してセードを水平方向にシフトして配置した状態、（ｃ）は照明本体に対してセードが傾斜した状態をそれぞれ示している。
【００１６】
各図を参照して、照明器具１は、天井に配設された図略の電源プラグに対して着脱可能なコード２と、このコード２の下端部に接続され、電球Ｄを装着可能な照明本体３と、この照明本体３に取り付けられ、電球Ｄを下方に開放しつつ、電球Ｄの周囲を囲繞するセード４とを備えている。なお、本実施形態の照明器具１は、上記照明本体３に接続されたワイヤＹによって天井から吊下げられ、この状態では、上記コード２が照明本体３と天井との間で弛んだ状態とされている。
【００１７】
上記照明本体３は、上下に延びる円筒状の支柱部５と、この支柱部５の下端部に固定された電球取付部６と、前記支柱部５の外側に取り付けられた支持部材７とを備えている。上記支柱部５は、その内腔部に上記コード２及びワイヤＹを収容し、これらコード２及びワイヤＹの下端部を電球取付部６まで案内するようになっている（図４参照）。また、支柱部５の外周部には、外ねじ部５ａが形成され、この外ねじ部５ａは、支柱部５の下端部から所定の上方位置までの範囲に形成されている。上記電球取付部６は、上記ワイヤＹの下端部に固定されているとともに、コード２と電気的に接続され、電球Ｄを下方へ向けた状態で装着するようになっている。
【００１８】
図３は、図１の支持部材７の一部を省略して示す斜視図であり、図４は、図１の支持部材７の一部を省略して示す側面断面図である。
【００１９】
図３及び図４を参照して、上記支持部材７は、支柱部５の外ねじ部５ａに対して螺合可能なローレットナット８と、このローレットナット８上に載置されたリング９と、このリング９の外側部に突設された４本の支持フレーム（支持部）１０とを備えている。上記ローレットナット８は、支柱部５を中心として回転することにより、外ねじ部５ａの形成された範囲において支柱部５に対して上下に連続的に相対変位するようになっている。
【００２０】
上記リング９は、支柱部５を上下に挿通可能な挿通孔９ａを有する平面視ドーナツ状の部材であり、この挿通孔９ａから一半径方向へ延びるスリット９ｂが形成されている。このスリット９ｂは、支柱部５が通過不可で、且つ上記コード２及びワイヤＹが通過可能な幅寸法に設定されているので、リング９を支柱部５の上方まで持ち上げた上で、コード２及びワイヤＹをスリット９ｂから抜き出すことにより、当該リング９を照明本体３から容易に取り外すことができる。また、上記リング９の側部には、その半径方向に開口する雌ねじ部９ｃが支柱部５を中心として９０°間隔で４箇所に形成されている。
【００２１】
上記支持フレーム１０は、その基端部が上記リング９の雌ねじ部９ｃに螺合された円柱状部材であり、その先端部に取り付けられたアジャスタ１１を備えている。このアジャスタ１１は、透光性を有するアクリル樹脂等の材質により形成されている。また、アジャスタ１１は、支持フレーム１０の先端外周部に形成された外ねじ部１０ａに対して螺合可能な内ねじ部１１ａを備え、これら両ねじ部１０ａ、１１ａが螺合することにより上記支持フレーム１０の先端部を被覆するようになっている。また、アジャスタ１１は、上記両ねじ部１０ａ、１１ａの締め付け具合を変更することにより、上記リング９に対する支持フレーム１０の突出方向（支持フレーム１０の軸線方向）に沿って、当該支持フレーム１０に対して伸縮するようになっている。
【００２２】
再び図１、図２を参照して、上記セード４は、透光性を有するアクリル樹脂やガラス等の材質により構成され、下広がりの円錐台状に形成されている。このセード４は、当該セード４を上下に貫通するように下広がりの円錐台状に形成された内腔部４ｄと、この内腔部４ｄを区画する下開きの内周面（傾斜面）４ａとを備えている。また、セード４は、内周面４ａを上記各アジャスタ１１に載せ掛けることにより、照明本体３の周囲を覆いつつ、当該照明本体３に対して取り付けられるようになっている。
【００２３】
具体的に本実施形態では、図２の（ａ）に示すように、水平面によって輪切りにされた内周面４ａの断面輪郭（円周）４ｂ上に上記各アジャスタ１１の先端部が配置されるように、当該各アジャスタ１１を支持フレーム１０に対して伸縮させることにより、セード４の下方から挿入された照明本体３の各アジャスタ１１に対して内周面４ａを載せ掛けることができる。さらに、セード４の上下位置に応じて大小変化する断面輪郭４ｂに対応して、アジャスタ１１を伸縮させることにより、上下位置の異なる断面輪郭４ｂとアジャスタ１１とを当接させることができるので、照明本体３に対するセード４の取付位置を上下に変更することができる。
【００２４】
また、本実施形態のように、セード４を円錐台状に形成した場合には、図２の（ｂ）に示すように、断面輪郭４ｂの中心位置から照明本体３の中心位置（支柱部５の位置）を偏心させ、且つ断面輪郭４ｂ上に各アジャスタ１１の先端部を配置することにより、セード４と電球Ｄとを水平方向で偏心させた状態で照明本体３に対してセード４を取り付けることも可能である。
【００２５】
さらに、セード４を円錐台状に形成した場合には、図２の（ｃ）に示すように、水平面に対して所定角度で傾斜する面によって輪切りにされた内周面４ａの断面輪郭（楕円形の円周）４ｃ上に上記各アジャスタ１１の先端部が配置されるように、当該各アジャスタ１１を支持フレーム１０に対して伸縮させることにより、上記所定角度だけ傾斜した姿勢で内周面４ａを各アジャスタ１１に対して乗せ掛けることができるので、上記所定角度だけ傾斜した姿勢で、セード４を照明本体３に対して取り付けることができる。
【００２６】
したがって、本実施形態の照明器具１によれば、セード４の取付位置を上下及び水平方向で移動させることができるとともに、セード４を傾斜した姿勢で照明本体に対して取り付けることができるので、電球Ｄによる照明光の広がりや配光を変更することができる。特に、セード４をガラスで製造する場合に、その製造段階で発生しがちな不具合により、セード４に対して内腔部４ｄが偏心して形成されている場合や内腔部４ｄが傾斜して形成されている場合等においても、セード４の取付位置又は姿勢を調整することにより、予め設定された光の広がりや配光状態となるように、照明本体３に対してセード４を取り付けることができる。すなわち、上記照明器具１では、セード４の内周面４ａとアジャスタ１１とを当接させることにより照明本体３に対してセード４を取り付けることとしているため、各アジャスタ１１を伸縮させることにより、セード４に生じた寸法誤差をある程度吸収することができる。
【００２７】
また、上記照明器具１では、セード４が電球Ｄを上方に開放しているとともに、当該セード４が複数の支持部１０によって照明本体３に対して支持されているため、電球Ｄの点灯時に発生する熱を各支持部１０の間を通って上方へ逃がすことができるので、高ワットの電球Ｄを採用することができる。
【００２８】
さらに、上記照明器具１は、ローレットナット８が支柱部５に対して上下に連続的に相対変位可能に構成されているため、このローレットナット８の上下動に応じて各支持フレーム１０を電球Ｄに対して上下に変位させることができるので、ローレットナット８を操作した場合には、各アジャスタ１１にセード４を載せ掛けた状態で、照明本体３に対するセード４の取付位置を上下方向で連続的に変更することができる。
【００２９】
また、上記照明器具１は、セード４が透光性を備えているとともに、各アジャスタ１１が透光性材料により構成されているため、セード４を透過した電球Ｄの照明光によって周囲を明るくしつつ、この照明光によってセード４上に投影されるアジャスタ１１の像を目立ち難くすることができる。
【００３０】
さらに、上記照明器具１では、セード４を照明本体３の上方へ変位させた後、リング９を照明本体３から取り外し、この状態でセード４を下方へ引抜くことにより、照明本体３からセード４を容易に取り外すことができるので、当該セード４の清掃を容易に行えるという利点もある。
【００３１】
なお、上記実施形態では、支持フレーム１０を４本備えた構成としているが、図５に示すように、リング９に対して３本の支持フレーム１０が突設された構成とすることもでき、さらに、５本以上の支持フレーム１０を備えた構成とすることもできる。
【００３２】
また、上記実施形態では、円錐台形のセード４を備えた構成としているが、円錐台形に限定されることはなく、例えば、図６に示すように、セード１４を下広がりの四角錐に形成することも可能である。このセード１４は、当該セード１４を上下に貫通するように下広がりの四角錐型に形成された内腔部１４ｂと、この内腔部１４ｂを区画する下開きの傾斜面１４ａとを備えている。
【００３３】
この実施形態によれば、水平面によって輪切りにされた断面輪郭（四角形）の一つの角を区画する両辺に、一つのアジャスタ１１の先端部が当接するように４本のアジャスタ１１のそれぞれを支持フレーム１０に対して伸縮させることにより、これら各アジャスタ１１に対して傾斜面１４ａを載せ掛けることができる。そして、セード１４の上下位置に応じて大小変化する断面輪郭に対応して、アジャスタ１１を伸縮させることにより、上下位置の異なる断面輪郭とアジャスタ１１とを当接させることができるので、照明本体３に対するセード１４の取付位置を上下に変更することができる。さらに、上記セード１４を備えた構成によれば、上記実施形態と同様に所定角度だけ傾斜した姿勢で、セード１４を照明本体３に対して取り付けることができる。
【００３４】
さらに、上記各セード４、１４に代えて、図７に示すように、下開きとなる傾斜から徐々に下窄まりとなる傾斜となる湾曲した傾斜面２４ａを有するセード２４や、図８に示すように、下窄まりとなる傾斜と下開きとなる傾斜とを併せ持つ屈曲した傾斜面３４ａを有するセード３４を採用することも可能である。すなわち、照明器具１に採用されるセード内には、上下位置の少なくとも一部に下開きとなる傾斜面が周方向にわたって形成されていればよい。
【００３５】
ところで、上記実施形態では、支柱部５の外ねじ部５ａに対してローレットナット８を螺合させることにより、上下に相対変位可能な状態で各支持フレーム１０を支柱部５に対して支持させることとしているが、この構成に限定されることはなく、上記ローレットナット８を省略した図９に示すような構成とすることもできる。すなわち、この実施形態のリング９には、その挿通孔９ａから外周部まで半径方向に貫通する雌ねじ部１９ａが形成され、この雌ねじ部１９ａには、セットねじ１９ｂが螺合するようになっている。したがって、この実施形態によれば、セットねじ１９ｂを緩めて、リング９を支柱部５に対する所望の上下位置に移動させた後、セットねじ１９ｂを締め付けることにより、当該セットねじ１９ｂの先端部が支柱部５の側面を押付けて、所望の上下位置でリング９を支柱部５に対して固定することができる。
【図面の簡単な説明】
【００３６】
【図１】本発明の実施形態に係る照明器具の全体構成を示す側面一部断面図である。
【図２】図１の照明器具の底面図であり、（ａ）はセードと照明本体とを略同心に配置した状態、（ｂ）は照明本体に対してセードを水平方向にシフトして配置した状態、（ｃ）は照明本体に対してセードが傾斜した状態をそれぞれ示している。
【図３】図１の支持部材の一部を省略して示す斜視図である。
【図４】図１の支持部材の一部を省略して示す側面断面図である。
【図５】別の実施形態の照明本体を示す斜視図である。
【図６】別の実施形態のセードを示す斜視図である。
【図７】別の実施形態のセードを示す側面図である。
【図８】別の実施形態のセードを示す側面図である。
【図９】別の実施形態の照明本体の一部を省略して示す側面断面図である。
【図１０】従来の照明器具の全体構成を示す側面一部断面図である。
【図１１】従来の照明器具の全体構成を示す側面一部断面図である。
【図１２】従来の照明器具の全体構成を示す側面一部断面図である。
【符号の説明】
【００３７】
１    照明器具
Ｄ    電球
３    照明本体
４    セード
４ａ、１４ａ、２４ａ、３４ａ    傾斜面
１０    支持フレーム
１１    アジャスタ（先端部）
【図１】
2005158448.tif 000003
【図２】
2005158448.tif 000004
【図３】
2005158448.tif 000005
【図４】
2005158448.tif 000006
【図５】
2005158448.tif 000007
【図６】
2005158448.tif 000008
【図７】
2005158448.tif 000009
【図８】
2005158448.tif 000010
【図９】
2005158448.tif 000011
【図１０】
2005158448.tif 000012
【図１１】
2005158448.tif 000013
【図１２】
2005158448.tif 000014